(57)【要約】【課題】無線通信システムのＵＥ（ユーザー端末）においてＣＥＬＬ＿ＦＡＣＨ（セルフォワードアクセスチャネル）状態に対応する高速ダウンリンク機能を通して、ＲＲＣ（無線資源制御）更新プロセスのデータ伝送効率を向上させる方法及び装置を提供する。【解決手段】方法は、ＲＲＣ更新プロセスを起動する段階と、上記ＲＲＣ更新プロセスに対応するＲＲＣ更新メッセージをネットワークに送信する段階と、ＣＥＬＬ＿ＦＡＣＨ状態に対応する高速ダウンリンク機能を起動する段階と、上記ＲＲＣ更新メッセージをネットワークに送信した後にサービングセルを再選択する段階と、上記サービングセルが高速ダウンリンク機能をサポートした場合に、共通Ｈ−ＲＮＴＩ（ＨＳ−ＤＳＣＨ無線ネットワークトランザクション識別子）で高速ダウンリンク機能を実行する段階とを含む。【選択図】図３
2008245280.tif 000002
【特許請求の範囲】
【請求項１】
無線通信システムのＵＥ（ユーザー端末）においてＲＲＣ（無線資源制御）プロセスのデータ伝送方法であって、
ＲＲＣ更新プロセスを起動する段階と、
上記ＲＲＣ更新プロセスに対応するＲＲＣ更新メッセージをネットワークに送信する段階と、
ＣＥＬＬ＿ＦＡＣＨ（セルフォワードアクセスチャネル）状態に対応する高速ダウンリンク機能を起動する段階と、
上記ＲＲＣ更新メッセージをネットワークに送信した後にサービングセルを再選択する段階と、
上記サービングセルが高速ダウンリンク機能をサポートした場合に、共通Ｈ−ＲＮＴＩ（ＨＳ−ＤＳＣＨ無線ネットワークトランザクション識別子）で高速ダウンリンク機能を実行する段階とを含むことを特徴とするデータ伝送方法。
【請求項２】
前記方法は更に、サービングセルを再選択するときに、専用Ｈ−ＲＮＴＩが存在していれば、同専用Ｈ−ＲＮＴＩを削除する段階を含むことを特徴とする請求項１に記載のデータ伝送方法。
【請求項３】
前記ＲＲＣ更新プロセスがセル更新プロセスであれば、前記ＲＲＣ更新メッセージはセル更新メッセージであることを特徴とする請求項１に記載のデータ伝送方法。
【請求項４】
前記ＲＲＣ更新プロセスがＵＲＡ（ＵＴＲＡＮ登録領域）更新プロセスであれば、前記ＲＲＣ更新メッセージはＵＲＡ更新メッセージであることを特徴とする請求項１に記載のデータ伝送方法。
【請求項５】
前記サービングセルが高速ダウンリンク機能をサポートした場合に、共通Ｈ−ＲＮＴＩで高速ダウンリンク機能を実行する段階は、ネットワークからのＳＩＢ（システム情報ブロック）タイプ６に接続モードダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ  ｆｏｒ  ｃｏｎｎｅｃｔｅｄ  ｍｏｄｅ）ＩＥ（情報要素）が含まれるか、またはネットワークからのＳＩＢタイプ５／５ｂｉｓにダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ）ＩＥが含まれた場合に、共通Ｈ−ＲＮＴＩで高速ダウンリンク機能を実行することを特徴とする請求項１に記載のデータ伝送方法。
【請求項６】
前記共通Ｈ−ＲＮＴＩで高速ダウンリンク機能を実行する段階は、
共通Ｈ−ＲＮＴＩに対応するＨＳ＿ＤＳＣＨ＿ＲＥＣＥＰＴＩＯＮ＿ＯＦ＿ＣＣＣＨ変数を真に設定する段階と、
接続モードダウンリンクＨＳ−ＰＤＳＣＨシステム情報ＩＥの構成データまたはダウンリンクＨＳ−ＰＤＳＣＨシステム情報ＩＥの構成データに基づいて、ＨＳ−ＤＳＣＨ受信機能に対応する物理チャネルとトランスポートチャネルの動作を起動する段階とを含むことを特徴とする請求項５に記載のデータ伝送方法。
【請求項７】
無線通信システムにおいてＲＲＣプロセスのデータを伝送する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記憶する記憶装置とを含み、前記プログラムコードは、
ＲＲＣ更新プロセスを起動するコードと、
上記ＲＲＣ更新プロセスに対応するＲＲＣ更新メッセージをネットワークに送信するコードと、
ＣＥＬＬ＿ＦＡＣＨ状態に対応する高速ダウンリンク機能を起動するコードと、
上記ＲＲＣ更新メッセージをネットワークに送信した後にサービングセルを再選択するコードと、
上記サービングセルが高速ダウンリンク機能をサポートした場合に、共通Ｈ−ＲＮＴＩで高速ダウンリンク機能を実行するコードとを含むことを特徴とする通信装置。
【請求項８】
前記プログラムコードは更に、サービングセルを再選択するときに、専用Ｈ−ＲＮＴＩが存在していれば、同専用Ｈ−ＲＮＴＩを削除するコードを含むことを特徴とする請求項７に記載の通信装置。
【請求項９】
前記ＲＲＣ更新プロセスがセル更新プロセスであれば、前記ＲＲＣ更新メッセージはセル更新メッセージであることを特徴とする請求項７に記載の通信装置。
【請求項１０】
前記ＲＲＣ更新プロセスがＵＲＡ更新プロセスであれば、前記ＲＲＣ更新メッセージはＵＲＡ更新メッセージであることを特徴とする請求項７に記載の通信装置。
【請求項１１】
前記サービングセルが高速ダウンリンク機能をサポートした場合に、共通Ｈ−ＲＮＴＩで高速ダウンリンク機能を実行するコードは、ネットワークからのＳＩＢタイプ６に接続モードダウンリンクＨＳ−ＰＤＳＣＨシステム情報ＩＥが含まれるか、またはネットワークからのＳＩＢタイプ５／５ｂｉｓにダウンリンクＨＳ−ＰＤＳＣＨシステム情報ＩＥが含まれた場合に、共通Ｈ−ＲＮＴＩで高速ダウンリンク機能を実行することを特徴とする請求項７に記載の通信装置。
【請求項１２】
前記共通Ｈ−ＲＮＴＩで高速ダウンリンク機能を実行するコードは、
共通Ｈ−ＲＮＴＩに対応するＨＳ＿ＤＳＣＨ＿ＲＥＣＥＰＴＩＯＮ＿ＯＦ＿ＣＣＣＨ変数を真に設定するコードと、
接続モードダウンリンクＨＳ−ＰＤＳＣＨシステム情報ＩＥの構成データまたはダウンリンクＨＳ−ＰＤＳＣＨシステム情報ＩＥの構成データに基づいて、ＨＳ−ＤＳＣＨ受信機能に対応する物理チャネルとトランスポートチャネルの動作を起動するコードとを含むことを特徴とする請求項１１に記載の通信装置。
【発明の詳細な説明】
【技術分野】
【０００１】
本発明は無線通信システムにおいてデータ伝送効率を向上させる方法及び装置に関し、特に無線通信システムにおいてＲＲＣ（無線資源制御）プロセスのデータ伝送効率を向上させる方法及び装置に関する。
【背景技術】
【０００２】
第三世代移動通信技術はＷＣＤＭＡ（広帯域多元分割接続）方式で高スペクトル利用効率、高カバー率、優れた通話品質と高速のマルチメディアデータ伝送を実現するとともに、ＱｏＳ（サービス品質）の確保、柔軟性のある双方向通信の実現、よりよい通信品質の提供、通話中断率の低減に大きく寄与する。第三世代移動通信システムを通して、ユーザーは無線通信装置（例えば携帯電話）で映像通信、電話会議、オンラインゲーム、オンラインミュージック、電子メールを楽しむことができる。もっとも、これらの機能は迅速かつ実時間の送信機能に頼る。帯域幅の利用効率とパケットデータの処理効率を向上させ、上り・下りの送信速度を改善するために、従来の第三世代移動通信技術にはＨＳＤＰＡ（高速ダウンリンクパケットアクセス）とＨＳＵＰＡ（高速アップリンクパケットアクセス）が導入された。ＨＳＤＰＡ技術をもとに、３ＧＰＰ（第三世代パートナーシッププロジェクト）はＲＲＣ接続モードのＣＥＬＬ＿ＦＡＣＨ（セルフォワードアクセスチャネル）状態に高速ダウンリンク共用チャネル受信機能を導入した。同機能は、ＣＥＬＬ＿ＦＡＣＨ状態のＵＥでＨＳ−ＤＳＣＨ（高速ダウンリンク共用チャネル）とＨＳ−ＳＣＣＨ（ＨＳ−ＤＳＣＨ共用制御チャネル）を合わせてダウンリンクデータを受信することを可能にし、ピークデータ率、信号遅延、状態遷移遅延、セルでサポート可能なＵＥ数を改善する。
【０００３】
ＵＴＲＡＮ（ＵＭＴＳ無線アクセスネットワーク）はシステム情報ブロードキャスト方式でＵＥ（ユーザー端末）の高速ダウンリンク受信機能を起動する。関連パラメータとしてはＨＳ−ＳＣＣＨ構成、ＨＳ−ＤＳＣＨ構成、及び共通Ｈ−ＲＮＴＩ（ＨＳ−ＤＳＣＨ無線ネットワーク識別子）パラメータなどがあり、これらのパラメータはＳＩＢ（システム情報ブロック）タイプ５／５ｂｉｓのダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ）というＩＥ（情報要素）を通してアイドリングモードのＵＥに送信されるか、またはＳＩＢタイプ６の接続モードダウンリンクＨＳ−ＰＤＳＣＨシステム情報（Ｄｏｗｎｌｉｎｋ  ＨＳ−ＰＤＳＣＨ  ｓｙｓｔｅｍ  ｉｎｆｏｒｍａｔｉｏｎ  ｆｏｒ  ｃｏｎｎｅｃｔｅｄ  ｍｏｄｅ）というＩＥを通してＲＲＣ接続モードのＵＥに送信される。
【０００４】
ＵＥは共通Ｈ−ＲＮＴＩまたは専用Ｈ−ＲＮＴＩを用いて高速ダウンリンク受信機能を実行することができる。共通Ｈ−ＲＮＴＩと専用Ｈ−ＲＮＴＩはＵＥのＩＤを示すものであって、これを利用すれば、ＵＥはそれ自身に属するダウンリンクパケットを受信することができる。共通Ｈ−ＲＮＴＩと専用Ｈ−ＲＮＴＩの相違点は、前者は複数のＵＥに用いられ、後者は特定のＵＥにのみ割り当てられることにある。ダウンリンクＭＡＣ（媒体アクセス制御）でのパケット受信過程では、共通Ｈ−ＲＮＴＩを用いるＵＥはパケットの中のＵＥ  ＩＤ情報、例えばパケットヘッダの中のＵＥ  ＩＤまたはＵＥ  ＩＤタイプをいちいち確認しなければならない。それに対して、専用Ｈ−ＲＮＴＩを用いるＵＥに送信するパケットはＵＥ  ＩＤ情報を含む必要がないので、データ伝送効率を向上させることができる。
【０００５】
ＵＥで共通Ｈ−ＲＮＴＩを取得する方法は、前記共通Ｈ−ＲＮＴＩパラメータから共通Ｈ−ＲＮＴＩを選出することを内容とする。一方、専用Ｈ−ＲＮＴＩはＲＲＣプロセス（例えばＲＲＣ確立プロセスまたはセル更新プロセス）でＵＴＲＡＮを通してＵＥに割り当てられ、ＵＥで受信された専用Ｈ−ＲＮＴＩはＵＥのＨ−ＲＮＴＩ変数に保存される。したがって、高速ダウンリンク受信機能の起動時、Ｈ−ＲＮＴＩ変数として既に所定値が設定されていれば、ＵＥは専用Ｈ−ＲＮＴＩを使用する。さもなければ共通Ｈ−ＲＮＴＩを使用する。
【０００６】
そのほか、ＵＥにはＨＳ＿ＤＳＣＨ＿ＲＥＣＥＰＴＩＯＮ＿ＣＥＬＬ＿ＦＡＣＨ＿ＳＴＡＴＥ変数とＨＳ＿ＤＳＣＨ＿ＲＥＣＥＰＴＩＯＮ＿ＯＦ＿ＣＣＣＨ変数があり、両者は専用Ｈ−ＲＮＴＩと共通Ｈ−ＲＮＴＩの使用状態に関する変数である。ＨＳ＿ＤＳＣＨ＿ＲＥＣＥＰＴＩＯＮ＿ＣＥＬＬ＿ＦＡＣＨ＿ＳＴＡＴＥ変数が真（ＴＲＵＥ）になることは、ＵＥで専用Ｈ−ＲＮＴＩを使用し、これに基づいてＤＴＣＨ（専用トラヒックチャネル）とＤＣＣＨ（専用制御チャネル）のパケットを受信することを示す。ＨＳ＿ＤＳＣＨ＿ＲＥＣＥＰＴＩＯＮ＿ＯＦ＿ＣＣＣＨ変数が真になることは、ＵＥで共通Ｈ−ＲＮＴＩを使用し、これに基づいてＣＣＣＨ（共通制御チャネル）に対応するパケットを受信することを示す。両変数がすべて偽（ＦＡＬＳＥ）になることは、ＵＥで高速ダウンリンク受信機能を停止することを示す。
【０００７】
高速ダウンリンク受信機能を実行する間、ＵＥは特定の状況でセル更新プロセスを起動する。セル更新プロセスの起動原因としては、セル再選択、周期的セル更新、無線リンク障害、ＲＬＣ回復不能エラー、及びアップリンクデータ伝送などが挙げられる。また、ＵＲＡ（ＵＴＲＡＮ登録領域）再選択、周期的ＵＲＡ更新が起こったとき、ＵＥはＵＲＡ更新プロセスを実行する。
【０００８】
セル／ＵＲＡ更新プロセスでのＲＲＣメッセージの交換方式としては一般に、ＵＥで先にセル／ＵＲＡ更新メッセージをＵＴＲＡＮに送信し、それからＵＴＲＡＮでセル／ＵＲＡ更新確認メッセージをＵＥに返送し、最後にＵＥでこのメッセージに基づいて無線ベアラの再設定か解放、移動情報の更新またはトランスポートチャネルのリセットなどを実行する。
【０００９】
従来のプロトコルによれば、セル／ＵＲＡ更新メッセージの送信後に、ＵＥで新たなセル／ＵＲＡを再選択する場合、ＵＥではＨ−ＲＮＴＩ変数を削除し、ＨＳ＿ＤＳＣＨ＿ＲＥＣＥＰＴＩＯＮ＿ＯＦ＿ＣＣＣＨ変数を偽にし、高速ダウンリンク受信機能を停止し、セル／ＵＲＡ更新メッセージを再送するなどの動作を順次実行する。
【００１０】
以上のように、従来のプロトコルでは、ＵＥで新たなセル／ＵＲＡを再選択するときに高速ダウンリンク受信機能を停止するように規定されている。しかし、新たに選ばれたセル／ＵＲＡが高速ダウンリンク受信機能をサポートする場合では、ＵＥで高速ダウンリンク受信機能を実行する場合と比べて、高速ダウンリンク受信機能を実行しないことはデータ伝送率が低くて信号伝送の遅延が大きい。
【発明の開示】
【発明が解決しようとする課題】
【００１１】
本発明は無線通信システムのＵＥにおいてＣＥＬＬ＿ＦＡＣＨ状態に対応する高速ダウンリンク機能を通して、ＲＲＣ更新プロセスのデータ伝送効率を向上させる方法及び装置を提供することを課題とする。
【課題を解決するための手段】
【００１２】
本発明は、無線通信システムのＵＥ（ユーザー端末）においてＲＲＣ（無線資源制御）プロセスのデータ伝送方法を提供する。該方法は、ＲＲＣ更新プロセスを起動する段階と、上記ＲＲＣ更新プロセスに対応するＲＲＣ更新メッセージをネットワークに送信する段階と、ＣＥＬＬ＿ＦＡＣＨ（セルフォワードアクセスチャネル）状態に対応する高速ダウンリンク機能を起動する段階と、上記ＲＲＣ更新メッセージをネットワークに送信した後にサービングセルを再選択する段階と、上記サービングセルが高速ダウンリンク機能をサポートした場合に、共通Ｈ−ＲＮＴＩ（ＨＳ−ＤＳＣＨ無線ネットワークトランザクション識別子）で高速ダウンリンク機能を実行する段階とを含む。
【００１３】
本発明は更に、無線通信システムにおいてＲＲＣプロセスのデータを伝送する通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記憶する記憶装置とを含む。該プログラムコードは、ＲＲＣ更新プロセスを起動するコードと、上記ＲＲＣ更新プロセスに対応するＲＲＣ更新メッセージをネットワークに送信するコードと、ＣＥＬＬ＿ＦＡＣＨ状態に対応する高速ダウンリンク機能を起動するコードと、上記ＲＲＣ更新メッセージをネットワークに送信した後にサービングセルを再選択するコードと、上記サービングセルが高速ダウンリンク機能をサポートした場合に、共通Ｈ−ＲＮＴＩで高速ダウンリンク機能を実行するコードとを含む。
【発明を実施するための最良の形態】
【００１４】
かかる方法及び装置の特徴を詳述するために、具体的な実施例を挙げ、図を参照にして以下に説明する。
【００１５】
図１を参照する。図１は無線通信装置１００のブロック図である。説明を簡素化するために、図１では無線通信装置１００の入力装置１０２、出力装置１０４、制御回路１０６、ＣＰＵ（中央処理装置）１０８、記憶装置１１０、プログラムコード１１２及びトランシーバー１１４のみ示されている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。望ましくは、無線通信装置１００は第三世代移動通信システムに用いられ、ＣＥＬＬ＿ＦＡＣＨ状態の高速ダウンリンク機能（ＨＳ−ＤＳＣＨ受信機能を含む）をサポートする。
【００１６】
図２を参照する。図２は図１に示すプログラムコード１１２を表す説明図である。プログラムコード１１２はアプリケーション層２００と、第三層２０２と、第一層２１８に接続された第二層２０６を備える。第三層２０２に設けられたＲＲＣエンティティー２２２は第一層２１８と第二層２０６を制御し、ＲＲＣプロセスで基地局またはＵＴＲＡＮと高速ダウンリンク受信機能構成データを交換する。なお、ＲＲＣエンティティー２２２は無線通信装置１００のＲＲＣ状態をアイドリング状態、ＣＥＬＬ＿ＰＣＨ（セルページングチャネル）状態、ＵＲＡ＿ＰＣＨ（ＵＴＲＡＮ登録領域ページングチャネル）状態、ＣＥＬＬ＿ＦＡＣＨ状態、またはＣＥＬＬ＿ＤＣＨ（セル専用チャネル）状態に切り替えることができる。
【００１７】
無線通信装置１００でＲＲＣ更新プロセスを起動する場合に鑑みて、本発明の実施例ではプログラムコード１１２に高速受信機能管理プログラムコード２２０を設け、データ伝送効率を向上させる。図３を参照する。図３は本発明の実施例による方法３０のフローチャートである。下記方法３０は無線通信システムのＵＥに用いられ、高速受信機能管理プログラムコード２２０としてコンパイルすることができる。
【００１８】
ステップ３００：開始。
ステップ３０２：セルまたはＵＲＡ更新プロセスを起動する。
ステップ３０４：上記ＲＲＣ更新プロセスに対応するセルまたはＵＲＡ更新メッセージをＵＴＲＡＮに送信する。
ステップ３０５：ＣＥＬＬ＿ＦＡＣＨ状態に対応する高速ダウンリンク機能を起動する。
ステップ３０６：上記更新メッセージをＵＴＲＡＮに送信した後にサービングセルを再選択する。
ステップ３０８：上記サービングセルが高速ダウンリンク機能をサポートするかどうかを判断する。そうであればステップ３１０に進み、そうではなければステップ３１２に進む。
ステップ３１０：共通Ｈ−ＲＮＴＩで高速ダウンリンク機能を実行し、ステップ３１４に進む。
ステップ３１２：高速ダウンリンク機能を停止し、ステップ３１４に進む。
ステップ３１４：終了。
【００１９】
以上のように、ＵＥはセル再選択または周期的セル更新などの原因によりセル／ＵＲＡ更新プロセスを起動し、プロセス起動時にセル／ＵＲＡ更新メッセージをＵＴＲＡＮに送信し、プロセス起動原因と関連の構成変更情報をＵＴＲＡＮに与える。セル／ＵＲＡ更新メッセージの送信後に新たなサービングセルが再選択された場合、ＵＥはそのサービングセルが高速ダウンリンク機能をサポートするかどうかをまず判断する。望ましくは、ＵＴＲＡＮから送信されたＳＩＢタイプ６に接続モードダウンリンクＨＳ−ＰＤＳＣＨシステム情報ＩＥが含まれているか、またはＳＩＢタイプ５／５ｂｉｓにダウンリンクＨＳ−ＰＤＳＣＨシステム情報ＩＥが含まれているかを判断することで、サービングセルが高速ダウンリンク機能をサポートするかどうかを判断する。ＳＩＢのいずれかに関連ＩＥが含まれた場合に、サービングセルが高速ダウンリンク機能をサポートすると判断し、両ＳＩＢのどれでもＩＥが含まれていない場合に、サービングセルが高速ダウンリンク機能をサポートしないと判断する。なお、サービングセルを再選択するとき、ＵＥに専用Ｈ−ＲＮＴＩが含まれれば、その専用Ｈ−ＲＮＴＩを削除する。
【００２０】
サービングセルが高速ダウンリンク機能をサポートした場合、共通Ｈ−ＲＮＴＩで高速ダウンリンク機能を実行するために、ＵＥはまず共通Ｈ−ＲＮＴＩに対応するＨＳ＿ＤＳＣＨ＿ＲＥＣＥＰＴＩＯＮ＿ＯＦ＿ＣＣＣＨ変数を真に設定し、更に接続モードダウンリンクＨＳ−ＰＤＳＣＨシステム情報ＩＥまたはダウンリンクＨＳ−ＰＤＳＣＨシステム情報ＩＥの構成データに基づいて、ＨＳ−ＤＳＣＨ受信機能に対応する物理チャネルとトランスポートチャネルの動作を起動する。それに対して、サービングセルが高速ダウンリンク機能をサポートしない場合では、ＵＥは高速ダウンリンク機能を停止し、その代わりにＳ−ＣＣＰＣＨ（副次共通制御物理チャネル）でダウンリンクデータを受信する。これは、非高速受信モードである。
【００２１】
まとめていえば、新たに再選択されたサービングセルが高速ダウンリンク機能をサポートした場合、本発明の実施例では共通Ｈ−ＲＮＴＩで高速ダウンリンク機能を実行するようにＵＥに求め、データ伝送効率を向上させ、信号伝送の遅延を減少する。
【００２２】
なお、本発明の他の実施例として、無線通信システムにおいてＲＲＣプロセスのデータを伝送する通信装置であって、ＲＲＣ更新プロセスを起動し、上記ＲＲＣ更新プロセスに対応するＲＲＣ更新メッセージをネットワークに送信し、ＣＥＬＬ＿ＦＡＣＨ状態に対応する高速ダウンリンク機能を起動し、上記ＲＲＣ更新メッセージをネットワークに送信した後にサービングセルを再選択し、上記サービングセルが高速ダウンリンク機能をサポートした場合に、共通Ｈ−ＲＮＴＩで高速ダウンリンク機能を実行する通信装置が挙げられる。この通信装置は、サービングセルを再選択するときに、専用Ｈ−ＲＮＴＩが存在していれば、同専用Ｈ−ＲＮＴＩを削除してもよい。また、上記通信装置において、上記ＲＲＣ更新プロセスがセル更新プロセスであれば、上記ＲＲＣ更新メッセージはセル更新メッセージであることが好ましい。また、上記通信装置において、上記ＲＲＣ更新プロセスがＵＲＡ更新プロセスであれば、上記ＲＲＣ更新メッセージはＵＲＡ更新メッセージであることが好ましい。また、上記通信装置において、上記サービングセルが高速ダウンリンク機能をサポートした場合に、共通Ｈ−ＲＮＴＩで高速ダウンリンク機能を実行するときに、ネットワークからのＳＩＢタイプ６に接続モードダウンリンクＨＳ−ＰＤＳＣＨシステム情報ＩＥが含まれるか、またはネットワークからのＳＩＢタイプ５／５ｂｉｓにダウンリンクＨＳ−ＰＤＳＣＨシステム情報ＩＥが含まれた場合に、共通Ｈ−ＲＮＴＩで高速ダウンリンク機能を実行することが好ましい。また、上記通信装置において、共通Ｈ−ＲＮＴＩで高速ダウンリンク機能を実行するときに、共通Ｈ−ＲＮＴＩに対応するＨＳ＿ＤＳＣＨ＿ＲＥＣＥＰＴＩＯＮ＿ＯＦ＿ＣＣＣＨ変数を真に設定し、接続モードダウンリンクＨＳ−ＰＤＳＣＨシステム情報ＩＥの構成データまたはダウンリンクＨＳ−ＰＤＳＣＨシステム情報ＩＥの構成データに基づいて、ＨＳ−ＤＳＣＨ受信機能に対応する物理チャネルとトランスポートチャネルの動作を起動してもよい。
【００２３】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２４】
【図１】本発明の実施例による無線通信装置のブロック図である。
【図２】図１に示すプログラムコードを表す説明図である。
【図３】本発明の実施例による方法のフローチャートである。
【符号の説明】
【００２５】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  高速受信機能管理プログラムコード
２２２  ＲＲＣエンティティー
【図１】
2008245280.tif 000003
【図２】
2008245280.tif 000004
【図３】
2008245280.tif 000005